(57)【要約】【課題】簡素な構造で簡易に照明器具を設置面に対して取り付ける。【解決手段】互いに反対側に向かって突出する一対の突起部（３２，３２）を備える照明器具（３）を設置面（１）に対して取り付けるための照明器具支持具（２）が、設置面（１）に取り付けられる第一部分（２１）と、照明器具（３）を支持する一対の第二部分（２２，２２）と、を備え、一対の第二部分（２２，２２）のそれぞれに、突起部（３２，３２）のいずれかを受入可能な支持部（２２１，２２１）が設けられており、支持部（２２１，２２１）は、第一部分（２１）が設置面（１）に取り付けられた状態で一対の第二部分（２２，２２）のそれぞれの支持部（２２１，２２１）により一対の突起部（３２，３２）を受け入れたときに、照明器具（３）を支持可能に構成されている。【選択図】図１
2019087351.tif 000002
【特許請求の範囲】
【請求項１】
互いに反対側に向かって突出する一対の突起部を備える照明器具を設置面に対して取り付けるための照明器具支持具であって、
前記設置面に取り付けられる第一部分と、
前記照明器具を支持する一対の第二部分と、を備え、
前記一対の第二部分のそれぞれに、前記突起部のいずれかを受入可能な支持部が設けられており、
前記支持部は、前記第一部分が前記設置面に取り付けられた状態で前記一対の第二部分のそれぞれの前記支持部により前記一対の突起部を受け入れたときに、前記照明器具を支持可能に構成されている照明器具支持具。
【請求項２】
前記第二部分に、前記突起部を前記支持部に案内する案内部が設けられている請求項１に記載の照明器具支持具。
【請求項３】
前記第一部分は、前記設置面に当接させる当接部と、前記設置面に当接させない非当接部と、を備えている請求項１又は２に記載の照明器具支持具。
【請求項４】
前記支持部は、前記第二部分に前記照明器具を固定するための固定部としても機能する請求項１〜３のいずれか一項に記載の照明器具支持具。
【請求項５】
前記支持部は、前記一対の突起部を受け入れたときに、前記一対の突起部を回転可能に支持するように構成されている請求項４に記載の照明器具支持具。
【請求項６】
請求項４に記載の照明器具支持具を介して、互いに反対側に向かって突出する一対の突起部を備える照明器具が設置面に対して取り付けられている照明器具支持構造であって、
前記第一部分が前記設置面に取り付けられ、
前記一対の第二部分のそれぞれの前記支持部により前記一対の突起部が受け入れられた状態で、前記第二部分に前記照明器具が固定されている照明器具支持構造。
【請求項７】
請求項５に記載の照明器具支持具を介して、互いに反対側に向かって突出する一対の突起部を備える照明器具が設置面に対して取り付けられている照明器具支持構造であって、
前記第一部分が前記設置面に取り付けられ、
前記一対の突起部のうち前記支持部に受け入れさせる部分は、前記照明器具の重心線上に配置されており、
前記一対の第二部分のそれぞれの前記支持部により前記一対の突起部が受け入れられた状態で、前記第二部分に前記照明器具が固定されている照明器具支持構造。
【請求項８】
前記一対の突起部がボルトで構成されており、
ナットを用いて前記第二部分に前記照明器具が固定されている請求項６又は７に記載の照明器具支持構造。
【請求項９】
請求項１〜５のいずれか一項に記載の照明器具支持具と、
互いに反対側に向かって突出する一対の突起部を備える照明器具と、を備える照明器具セット。
【請求項１０】
前記照明器具の前記一対の突起部のうち前記支持部に受け入れさせる部分は、前記照明器具の重心線上に配置されている請求項９に記載の照明器具セット。
【請求項１１】
前記一対の突起部はボルトで構成され、ナットを用いて前記第二部分に前記照明器具を固定可能になっている請求項９又は１０に記載の照明器具セット。
【発明の詳細な説明】
【技術分野】
【０００１】
本発明は、照明器具を設置面に対して取り付けるための照明器具支持具と、当該照明器具支持具を介して、照明器具が設置面に対して取り付けられている照明器具支持構造と、照明器具セットと、に関する。
【背景技術】
【０００２】
照明器具をトンネル等の壁面に取付けるための支持具として、例えば特開２０１３−１０１７９３号公報（特許文献１）には、壁面の形状に適合し、且つ、取り付けた照明器具が所望の方向に向くような形状に形成した金具が開示されている。このような金具を用いることで、所望の方向を向く状態で照明器具を設置面に対して取り付けることができる。
【先行技術文献】
【特許文献】
【０００３】
【特許文献１】特開２０１３−１０１７９３号公報
【発明の概要】
【発明が解決しようとする課題】
【０００４】
しかし、特許文献１の支持具は、照明器具に設けられた取付部と支持具とを重ねあわせて、両者をボルト及びナットにより挟み込むことで、支持具に対して照明器具を取り付ける構成となっている。この場合、重量のある照明器具を作業者が支えた状態でボルトの締め付け等の取付作業を行わなければならず、作業者への負荷が大きくなる。
【０００５】
また、壁面の形状や照明器具が向くべき方向は多種多様であるため、その都度目的に合う金具を製作する必要があり汎用性に欠ける。これに対し、微調整を可能にして汎用性を高めるべく、複数の部材を連結させるようにして、部材間の連結部で微調整を行えるようにすることも行われているが、部材点数が多くなってしまい、構造が複雑となったりコストが嵩むことになる。
【０００６】
その他にも、経年劣化等によりボルトが脱落して照明器具が落下するおそれがあるため、壁面から延びるワイヤーに照明器具を連結させる等の照明器具の落下防止構造が別途必要となってしまう。
【０００７】
そこで、より簡素な構造で簡易に照明器具を設置面に対して取り付け可能な照明器具支持具、照明器具支持構造、及び、照明器具セットが望まれる。
【課題を解決するための手段】
【０００８】
本発明に係る照明器具支持具は、
互いに反対側に向かって突出する一対の突起部を備える照明器具を設置面に対して取り付けるための照明器具支持具であって、
前記設置面に取り付けられる第一部分と、
前記照明器具を支持する一対の第二部分と、を備え、
前記一対の第二部分のそれぞれに、前記突起部のいずれかを受入可能な支持部が設けられており、
前記支持部は、前記第一部分が前記設置面に取り付けられた状態で前記一対の第二部分のそれぞれの前記支持部により前記一対の突起部を受け入れたときに、前記照明器具を支持可能に構成されている。
【０００９】
この構成によれば、支持部により照明器具を支持させることで、作業者が照明器具を支えることなく取付作業を行うことができる。これにより、取付作業における作業者への負荷を軽減することができて、より簡易に照明器具を設置面に対して取り付けることができる。
【００１０】
１つの態様として、前記第二部分に、前記突起部を前記支持部に案内する案内部が設けられていると好適である。
【００１１】
この構成によれば、案内部により突起部が支持部に案内されるので、作業者の作業効率を高めることができる。
【００１２】
１つの態様として、前記第一部分は、前記設置面に当接させる当接部と、前記設置面に当接させない非当接部と、を備えていると好適である。
【００１３】
第一部分を設置面に取り付ける際には、設置面の形状に合わせて第一部分を取り付ける必要があるが、この構成によれば、第一部分に設置面に当接させない非当接部が存在するため、第一部分の全面が設置面に当接する場合に比べ、設置面の形状に合わせて第一部分を設置面に取り付けることを容易に行える。
【００１４】
１つの態様として、前記支持部は、前記第二部分に前記照明器具を固定するための固定部としても機能すると好適である。
【００１５】
この構成によれば、支持部により照明器具を支持させたまま第二部分に照明器具を固定させられるため、取付作業における作業者への負荷を軽減することができる。また、経年劣化等により固定具が脱落しても、支持部により照明器具が支持されるため、別途照明器具の落下防止構造を設ける必要がない。
【００１６】
１つの態様として、前記支持部は、前記一対の突起部を受け入れたときに、前記一対の突起部を回転可能に支持するように構成されていると好適である。
【００１７】
この構成によれば、支持部により照明器具を支持させた状態で照明器具の角度調整が可能になるため、取付作業における作業者への負荷を軽減することができる。また、照明器具が向くべき方向に合う金具を別途製作する必要がなく汎用性を高めることができるため、製作コストを低減することができる。
【００１８】
本発明に係る照明器具支持構造は、
上記照明器具支持具を介して、互いに反対側に向かって突出する一対の突起部を備える照明器具が設置面に対して取り付けられている照明器具支持構造であって、
前記第一部分が前記設置面に取り付けられ、
前記一対の第二部分のそれぞれの前記支持部により前記一対の突起部が受け入れられた状態で、前記第二部分に前記照明器具が固定されている。
【００１９】
この構成によれば、経年劣化等により固定具が脱落しても、支持部により照明器具が支持されるため、別途照明器具の落下防止構造を設ける必要がなくなる。
【００２０】
本発明に係る照明器具支持構造は、
上記照明器具支持具を介して、互いに反対側に向かって突出する一対の突起部を備える照明器具が設置面に対して取り付けられている照明器具支持構造であって、
前記第一部分が前記設置面に取り付けられ、
前記一対の突起部のうち前記支持部に受け入れさせる部分は、前記照明器具の重心線上に配置されており、
前記一対の第二部分のそれぞれの前記支持部により前記一対の突起部が受け入れられた状態で、前記第二部分に前記照明器具が固定されている。
【００２１】
この構成によれば、照明器具の重心線を回転軸にして照明器具を回転させられるため、照明器具を回転しやすくでき、且つ、照明器具を所定角度で固定したときの安定性を高めることができる。
【００２２】
１つの態様として、前記一対の突起部がボルトで構成されており、ナットを用いて前記第二部分に前記照明器具が固定されていると好適である。
【００２３】
この構成によれば、突起部を固定手段としても用いることができ、利便性が高まる。
【００２４】
本発明に係る照明器具支持用セットは、
本発明に係る照明器具支持具と、
互いに反対側に向かって突出する一対の突起部を備える照明器具と、を備える。
【００２５】
１つの態様として、前記照明器具の前記一対の突起部のうち前記支持部に受け入れさせる部分は、前記照明器具の重心線上に配置されていると好適である。
【００２６】
１つの態様として、前記一対の突起部はボルトで構成され、ナットを用いて前記第二部分に前記照明器具を固定可能になっていると好適である。
【図面の簡単な説明】
【００２７】
【図１】照明器具支持構造の構成を示す図
【図２】照明器具支持具の側面図
【図３】照明器具支持具の平面図
【図４】照明器具支持具の正面図
【図５】照明器具の正面図
【図６】照明器具支持構造の組み立て工程を示す図
【発明を実施するための形態】
【００２８】
本発明に係る照明器具支持具、照明器具支持構造、及び、照明器具セットの実施形態について、図面を参照して説明する。図１は本実施形態の照明器具支持構造を示し、照明器具支持構造は、照明器具支持具２を介して、照明器具３が設置面（例えばトンネルの内壁面等の照明器具３を設置しようとする面）１に対して取り付けられるものとなっている。特に、本実施形態の照明器具支持構造は、互いに反対側に向かって突出する一対の突起部３２，３２を備える照明器具３を対象とし、かかる照明器具３に適した照明器具支持具２を用いて、一対の突起部３２，３２を利用して照明器具３を設置面１に対して取り付けるようになっている。以下、そのための構成について詳細に説明する。
【００２９】
図１に示すように、照明器具支持具２は、設置面１に取り付けられる第一部分２１と、照明器具３を支持する一対の第二部分２２，２２と、を備えている。より具体的には、本実施形態では、照明器具支持具２は、板状の第一部分２１と、第一部分２１の両端から第一部分２１に対して垂直に延びる板状の第二部分２２，２２と、を備え、全体として平面視コの字状の形状を呈している。
【００３０】
第一部分２１について説明すると、図１，３，４に示すように、第一部分２１は、設置面１に当接させる当接部２１１，２１１と、設置面に当接させない非当接部２１２と、を備えている。より詳しくは、第一部分２１は、左右両側に配置された２つの当接部２１１，２１１の間に、設置面１と反対側の方向に突出する非当接部２１２が配置された形態となっている。このように、第一部分２１に非当接部２１２が存在することにより、全面が設置面１に当接する場合に比べ、容易に、設置面１の形状に合わせて第一部分２１を設置面１に取り付けられるようになっている。また、図４に示すように、各当接部２１１，２１１には、第一部分２１を設置面１に取り付けるためのボルト２３を挿通するための挿通孔２１３，２１４が設けられている。各挿通孔２１３，２１４は互いに直交する方向（本実施形態では挿通孔２１３は上下方向、挿通孔２１４は水平方向）に延びる長穴で形成されており、これにより、ボルト２３により第一部分２１を設置面１に取り付けた後も、ボルト２３を取り付けたまま、設置面１と垂直な方向（図４の奥行き方向）に延びる直線を回転軸として第一部分２１をわずかに回転させることができ、第一部分２１の取付角度の微調整が可能になる。
【００３１】
第二部分２２について説明すると、図１，２，３に示すように、一対の第二部分２２，２２のそれぞれに、突起部３２，３２のいずれかを受入可能な支持部２２１，２２１が設けられている。そして、支持部２２１，２２１は、第一部分２１が設置面１に取り付けられた状態で一対の第二部分２２，２２のそれぞれの支持部２２１，２２１により一対の突起部３２，３２を受け入れたときに（例えば図６の２番目の工程を示す図の状態）、照明器具３を支持可能に構成されている。支持部２２１，２２１により照明器具３を支持させることで、作業者が照明器具３を支えることなく取付作業を行うことが可能になっている。
【００３２】
なお、支持部２２１の形状は、第一部分２１が設置面１に取り付けられた状態において照明器具３を支持可能なものであれば特に限定されないが、例えば、上方に向かって開口する溝（もしくは切欠き）の形状とすることができる。そして、第一部分２１と平行な方向（いわば第一部分２１が設置面１に取り付けられたときの設置面１と平行な方向）、もしくは、第一部分２１と平行な方向から、開口側の部位が第一部分２１に近づく側に傾斜した方向に延びている（もしくは、そのような部分を少なくともその一部に有している）と好ましい。このように構成することにより、第一部分２１が、鉛直方向に対して、第一部分２１よりも第二部分２２，２２が下方に位置する側に向かって傾いた場合（例えば図６に示す状態）でも、突起部３２が支持部２２１に受け入れられた状態を維持することができる。そして、本実施形態では、各支持部２２１，２２１は、上方に向かって開口するとともに、第一部分２１と平行な方向に延びる溝の形状を有しており、これにより、第一部分２１が設置面１に取り付けられた状態で支持部２２１，２２１が一対の突起部３２，３２を受け入れたときに、照明器具３を支持可能になっている。
【００３３】
そして、本実施形態では、支持部２２１，２２１は、第二部分２２，２２に照明器具３を固定するための固定部としても機能するようになっている。つまり、支持部２２１，２２１により照明器具３を支持させたまま第二部分２２，２２に照明器具３を固定させるようになっている。これにより、取付作業における作業者への負荷を軽減することができ、また、経年劣化等により第二部分２２，２２に照明器具３を固定させるための固定具（本実施形態では後述するナット３３）が脱落しても、支持部２２１，２２１により照明器具３が支持されるため、別途照明器具３の落下防止構造を設ける必要がない。
【００３４】
また、支持部２２１，２２１は、一対の突起部３２，３２を受け入れたときに、一対の突起部３２，３２を回転可能に支持するように構成されている。具体的には、本実施形態では、支持部２２１の底部２２１ａが弧状に形成されており、これにより、一対の突起部３２が支持部２２１内で回転できるようになっている。このように構成することにより、支持部２２１，２２１により照明器具３を仮置きした状態で、作業者が照明器具３を支えることなく照明器具３の角度調整をすることが可能になるため、取付作業における作業者への負荷を軽減することができる。また、照明器具３が向くべき方向に合う金具を別途製作する必要がなく汎用性を高めることができるため、製作コストを低減することができる。
【００３５】
さらに、図２に示すように、第二部分２２には、突起部３２を支持部２２１に案内する案内部２２２が設けられている。具体的には、本実施形態では、案内部２２２は、支持部２２１に向かって傾斜する傾斜部で形成されている。案内部２２２によれば、突起部３２が支持部２２１に案内されるので、作業者の作業効率を高めることができる。
【００３６】
そのほか、図３に示すように、第二部分２２，２２における第一部分２１とは反対側の端縁２２ａ，２２ａは、先端に向かうにつれて互いの間の距離が拡がる状態で窄むようになっている。これにより、第二部分２２，２２の間に照明器具３を配置させることが容易になっている。
【００３７】
また、照明器具支持具２には樹脂コーティングが施されている。樹脂コーティングは通常の塗装に比べはがれにくいため、後述のように、照明器具３の側面とナット３３とで照明器具支持具２（特に第二部分２２）を挟み込んで照明器具３を照明器具支持具２に固定する場合にも、より強固に固定することが可能になる。また、照明器具支持具２は、高い耐久性が求められるので、ステンレスなどの耐久性の高い素材が用いられる傾向にあり、一方、照明器具３は軽量化のためにアルミ等の軽量の素材が用いられる傾向にあるなど、照明器具支持具２と照明器具３とで異なる金属素材が用いられる場合があり、樹脂コーティングは、このような異種金属の接触をより効果的に防ぐ役割を果たしている。
【００３８】
次に、照明器具３について説明する。図１に示すように、照明器具３は、前方を照らす照明部３１と、互いに反対側に向かって突出する一対の突起部３２，３２を備えている。そして、一対の突起部３２，３２のうち支持部２２１，２２１に受け入れさせる部分は、照明器具３の重心線（重心を通る直線。本実施形態では特に側面に垂直な方向の重心線）３４上に配置されていると好ましい。このようにすれば、重心線３４を回転軸に照明器具３を回転させられるため、照明器具３を回転しやすくでき、且つ、照明器具３を所定角度で固定したときの安定性を高めることができる。なお、本実施形態では、図５に示すように、一対の突起部３２，３２は、照明器具３の重心線３４に沿って延びるようになっている。また、本実施形態では、一対の突起部３２，３２がボルトで構成されており、より具体的には、照明器具支持具２の支持部２２１に載せるボス部３２１と、ナット３３を連結させるネジ部３２２と、から構成されている。これにより、突起部３２のボス部に支持部２２１を載せた状態でナット３３を用いて照明器具３の側面とナット３３とで第二部分２２を挟み込むことで、第二部分２２，２２に照明器具３を固定可能になっている。
【００３９】
最後に、図６を例に、照明器具支持具２を介して、照明器具３が設置面１に対して取り付けられている照明器具支持構造を形成する手順の一例について説明する。まず、設置面１に対して照明器具支持具２を取り付けた後、照明器具支持具２の支持部２２１，２２１に照明器具３の突起部３２，３２を受け入れさせて、第二部分２２に照明器具３を仮置きする（図６の１番目及び２番目の工程）。次に、照明器具３を所望の角度まで回転させて（図６の３番目の工程）、ナット３３を締め付けて、照明器具３の側面とナット３３とで第二部分２２を挟み込んで第二部分２２，２２に対して照明器具３を固定させる（図６の４番目の工程）。このようにすることで、第一部分２１が設置面１に取り付けられ、一対の第二部分２２，２２のそれぞれの支持部２２１，２２１により一対の突起部３２，３２が受け入れられた状態で、第二部分２２，２２に照明器具３が固定されている照明器具支持構造が形成される。
【００４０】
〔その他の実施形態〕
最後に、本発明に係る照明器具支持具、照明器具支持構造、及び、照明器具セットのその他の実施形態について説明する。なお、以下のそれぞれの実施形態で開示される構成は、矛盾が生じない限り、他の実施形態で開示される構成と組み合わせて適用することも可能である。
【００４１】
（１）上記の実施形態では、第二部分２２に案内部２２２が設けられている構成を例として説明した。しかし、本発明の実施形態はこれに限定されず、案内部２２２を設けなくともよい。また、案内部２２２の構成は、支持部２２１に向かって傾斜する傾斜部に限定されず、適宜変更可能である。
【００４２】
（２）上記の実施形態で示した支持部２２１の構成はあくまでも例示であり、本発明の趣旨を逸脱しない範囲で適宜変更可能である。例えば、一対の突起部３２，３２を回転可能に支持するための構成は適宜変更可能であり、また、回転可能に支持するように構成されていなくてもよい。また、支持部２２１の形状は上述したものに限らず、くの字状になっているなど途中で屈曲するようにしてもよいし、溝や切欠きといった構成でなくてもよい。
【００４３】
（３）上記の実施形態では、支持部２２１を、第二部分２２に照明器具３を固定するための固定部としても機能させた構成を例に説明した。しかし、本発明の実施形態はこれに限定されず、支持部２２１以外に、照明器具支持具２に照明器具３を固定させるための固定部を設けてもよい。
【００４４】
（４）上記の実施形態では、一対の突起部３２，３２のうち支持部２２１，２２１に受け入れさせる部分を、照明器具３の重心線３４上に配置した構成を例に説明した。しかし、本発明の実施形態はこれに限定されず、一対の突起部３２，３２は互いに反対側に向かって突出するものであればよく、その構成は適宜変更可能である。また、一対の突起部３２，３２は、照明器具３に着脱自在であってもよいし、照明器具３と一体に形成されていてもよい。
【００４５】
（５）上記の実施形態では、第一部分２１が、当接部２１１，２１１と非当接部２１２とを備えた構成を例に説明した。しかし、本発明の実施形態はこれに限定されず、例えば第一部分２１の左右方向の長さが短い場合などには、第一部分２１は非当接部２１２を備えなくともよい。
【００４６】
（６）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００４７】
本発明は、照明器具を設置面に対して取り付けるのに利用することができる。
【符号の説明】
【００４８】
１        設置面
２        照明器具支持具
２１      第一部分
２１１    当接部
２１２    非当接部
２２      第二部分
２２１    支持部
２２２    案内部
３        照明器具
３２      突起部
３３      ナット
３４      重心線
【図１】
2019087351.tif 000003
【図２】
2019087351.tif 000004
【図３】
2019087351.tif 000005
【図４】
2019087351.tif 000006
【図５】
2019087351.tif 000007
【図６】
2019087351.tif 000008